(57)【要約】【課題】、記録媒体を搬送ベルトに確実に吸着させて、正確に搬送させることにより、良好な画像を得ることができ、かつ手間がかからないインクジェット記録装置を提供する。【解決手段】記録媒体４を支持して搬送する搬送ベルト７を有し、搬送ベルト７に対して、記録媒体４を吸着する静電吸着力を発生させる静電力発生装置１０を設けるとともに、搬送ベルト７は、少なくとも記録媒体当接面が粘着力を有するようにした。【選択図】図１
2005096280.tif 000002
【特許請求の範囲】
【請求項１】
記録媒体を支持して搬送する搬送ベルトを有し、前記搬送ベルトに対して、前記記録媒体を吸着する静電吸着力を発生させる静電力発生装置を設けるとともに、前記搬送ベルトの少なくとも前記記録媒体と当接する記録媒体当接面は粘着力を有することを特徴とするインクジェット記録装置。
【請求項２】
前記静電吸着力は０．７Ｎ／１００ｃｍ2以下であり、前記粘着力は０．０２Ｎ／２５ｍｍ以上、１Ｎ／２５ｍｍ以下であることを特徴とする請求項１に記載のインクジェット記録装置。
【請求項３】
前記搬送ベルトの前記記録媒体当接面は、平坦であることを特徴とする請求項１又は請求項２に記載のインクジェット記録装置。
【請求項４】
前記搬送ベルトは、少なくとも前記記録媒体当接面がシリコン系樹脂により形成されていることを特徴とする請求項１から請求項３のいずれか一項に記載のインクジェット記録装置。
【請求項５】
前記搬送ベルトは、少なくとも前記記録媒体当接面がウレタン系樹脂により形成されていることを特徴とする請求項１から請求項３のいずれか一項に記載のインクジェット記録装置。
【請求項６】
前記搬送ベルトは、積層して形成され、少なくとも一層の体積抵抗率が１０3Ωｃｍ以上であることを特徴とする請求項１から請求項５のいずれか一項に記載のインクジェット記録装置。
【請求項７】
前記記録媒体は、布帛であることを特徴とする請求項１から請求項６のいずれか一項に記載のインクジェット記録装置。
【発明の詳細な説明】
【技術分野】
【０００１】
本発明は、インクジェット記録装置に係り、特に、低剛性でしわになりやすい布帛を主たる記録媒体とし、これを支持して搬送する搬送ベルトを有するインクジェット記録装置に関する。
【背景技術】
【０００２】
近年、画像分野においてデジタル化の波が急速に押し寄せて来ている。特に、捺染業界では、従来のスクリーン捺染方式よりもクイックレスポンスや小ロット、多品種に適したインクジェット記録装置に着目している。同様にサインディスプレイ業界では、従来のスクリーン印刷やグラビア印刷よりも簡便で安価に画像が形成できるインクジェット装置に期待をしている。
【０００３】
ところで、捺染業界では、剛性の低い布帛を主な記録媒体としており、サインディスプレイ業界でも紙等の他にプラスチック材料（塩化ビニール）で織られた材料が用いられている。そして、このような剛性の低い材料を記録媒体として用いる場合、一般に、記録媒体を搬送ベルトに密着させて搬送することが行われている。
【０００４】
このように記録媒体を搬送ベルトに密着させて搬送するインクジェット記録装置としては、搬送ベルトの表面に、水溶性樹脂、感圧性樹脂、感熱性樹脂等の地張剤や粘着シートを用いて形成された粘着層を設け、この粘着層に記録媒体を密着させて搬送するインクジェット記録装置が知られている（例えば特許文献１参照）。
【０００５】
一方、記録媒体として紙を搬送ベルトにて搬送させて画像を記録するインクジェット記録装置では、例えば、搬送ベルトの下部に搬送ベルトを帯電させて記録媒体を静電吸着する静電力発生装置を設けたインクジェット記録装置が知られている（例えば特許文献２参照）。このインクジェット記録装置では、静電力発生装置により搬送ベルトを帯電させ、帯電した搬送ベルトに紙を支持させることにより紙を接触帯電させて搬送ベルトに吸着させている。
【特許文献１】特開２００１−２７７６５６号公報
【特許文献２】特開平７−１３７８７７号公報
【発明の開示】
【発明が解決しようとする課題】
【０００６】
しかし、従来の粘着層を設けた搬送ベルト有するインクジェット記録装置（特許文献１）では、記録媒体の搬送ベルトへの貼着、剥離を繰り返すことにより表面に凹凸が発生したり、ゴミ等の付着による粘着効果の劣化が見られ、少なくとも数ヶ月に１度は粘着剤を剥がし洗浄して再度粘着剤を塗布しなければならず、手間がかかるという問題があった。
【０００７】
また、この従来のインクジェット記録装置では、粘着層のみにより記録媒体を搬送ベルトに密着させているため、粘着層の粘着力が高く、一端搬送ベルトに記録媒体を貼着させると、記録媒体の位置ずれを補正することができず、貼着、剥離を繰り返すこととなり、手間がかかるという問題があった。
【０００８】
一方、従来の静電力発生装置を設けたインクジェット記録装置（特許文献２）では、綿布や絹布等の布帛や塩化ビニールの織物等、帯電しにくい記録媒体を静電力発生装置により帯電した搬送ベルトに支持させても、搬送ベルトに吸着されず、搬送ベルト上で記録媒体がすべり、精度良く搬送されないため、画像不良を生じるという問題があった。
【０００９】
また、この従来のインクジェット記録装置では、搬送ベルトは、帯電しやすいポリカーボネイトやポリエチレンを使用しなければならないという制約があった。
【００１０】
さらに、従来のインクジェット記録装置では、静電吸着の原理がクーロン力によるもので搬送ベルトと記録媒体との距離の関数で静電吸着力が減衰してしまうため、搬送ベルトは厚みが０．１〜０．２ｍｍ程度に形成されているが、厚みが小さいと搬送ベルトの耐久性が劣り搬送ベルトを頻繁に交換しなければならならず、手間がかかるという問題があった。
【００１１】
ここで、ある程度搬送ベルトの耐久性を確保しつつ記録媒体を正確に搬送するために、静電力発生装置を構成する電極に印加する電圧を高くして、静電力を増強させることが考えられるが、印加電圧を過度に高くすると、記録ヘッドより記録媒体に対して吐出されたインク滴が偏向して、着弾位置がずれてしまうおそれがあった。
【００１２】
そこで、本発明は、記録媒体を搬送ベルトに確実に吸着させて、正確に搬送させるとともにインク滴を正確に着弾させることにより、良好な画像を得ることができ、かつ手間がかからないインクジェット記録装置を提供することを目的とする。
【課題を解決するための手段】
【００１３】
上記課題を解決するために本発明によるインクジェット記録装置は、記録媒体を支持して搬送する搬送ベルトを有し、前記搬送ベルトに対して、前記記録媒体を吸着する静電吸着力を発生させる静電力発生装置を設けるとともに、前記搬送ベルトの少なくとも前記記録媒体と当接する記録媒体当接面は粘着力を有することを特徴とする。
【００１４】
請求項１に記載の発明によれば、搬送ベルトの記録媒体当接面の粘着力により、記録媒体が静電力発生装置により帯電した搬送ベルトに密着されるため、帯電しにくい記録媒体であっても、電荷の分極により搬送ベルトに吸着される。
【００１５】
ここで、記録媒体は、静電吸着されるため、記録媒体当接面の粘着力は、記録媒体にしわ等が発生することなく搬送ベルトに密着される程度の粘着力ですむ。
【００１６】
また、記録媒体が分極されればよく、搬送ベルトを薄くする必要がないため、搬送ベルトに一定の厚みを持たせることができる。
【００１７】
また、請求項２に記載の発明は、請求項１に記載のインクジェット記録装置において、前記静電吸着力は０．７Ｎ／１００ｃｍ2以下であり、前記粘着力は０．０２Ｎ／２５ｍｍ以上、１Ｎ／２５ｍｍ以下であることを特徴とする。
【００１８】
請求項２に記載の発明によれば、搬送ベルトの記録媒体当接面は０．０２Ｎ／２５ｍｍ以上の粘着力を有するため、記録媒体は、静電力発生装置により帯電した搬送ベルトに確実に密着され、記録媒体の電荷が分極することにより、記録媒体が搬送ベルトに充分に吸着される。
【００１９】
さらに、粘着力は１Ｎ／２５ｍｍ以下であるため、静電力の発生を解除すれば、搬送ベルトに密着された記録媒体を剥離して再密着させることなく、記録媒体の位置ずれを容易に補正することができる。
【００２０】
ここで、静電吸着力は０．７Ｎ／２５ｍｍ以下であるため、記録方式がインクジェット方式であっても、記録媒体に対して吐出されたインク滴が偏向することがない。
【００２１】
請求項３に記載の発明は、請求項１又は請求項２に記載のインクジェット記録装置において、前記搬送ベルトの前記記録媒体当接面は、平坦であることを特徴とする。
【００２２】
請求項３に記載の発明によれば、搬送ベルトの記録媒体当接面は平坦であり、記録媒体の浮きを生じさせることがないため、記録媒体が静電力発生装置により帯電した搬送ベルトに確実に密着され、記録媒体の電荷が分極することにより、記録媒体が搬送ベルトに充分に吸着される。
【００２３】
また、請求項４に記載の発明は、請求項１から請求項３のいずれか一項に記載のインクジェット記録装置において、前記搬送ベルトは、少なくとも前記記録媒体当接面がシリコン系樹脂により形成されていることを特徴とする。
【００２４】
請求項４に記載の発明によれば、搬送ベルトの記録媒体当接面がシリコン系樹脂により形成されており、所定の粘着力を有するため、記録媒体が静電力発生装置により帯電した搬送ベルトに確実に密着され、記録媒体の電荷が分極することにより、記録媒体が搬送ベルトに充分に吸着される。また、静電吸着力の発生を解除すれば、記録媒体の位置ずれを容易に補正することができる。
【００２５】
また、請求項５に記載の発明は、請求項１から請求項３のいずれか一項に記載のインクジェット記録装置において、前記搬送ベルトは、少なくとも前記記録媒体当接面がウレタン系樹脂により形成されていることを特徴とする。
【００２６】
請求項５に記載の発明によれば、搬送ベルトの記録媒体当接面がウレタン系樹脂により形成されており、所定の粘着力を有するため、記録媒体が静電力発生装置により帯電した搬送ベルトに確実に密着され、記録媒体の電荷が分極することにより、記録媒体が搬送ベルトに充分に吸着される。また、静電吸着力の発生を解除すれば、記録媒体の位置ずれを容易に補正することができる。
【００２７】
請求項６に記載の発明は、請求項１から請求項５のいずれか一項に記載のインクジェット記録装置において、前記搬送ベルトは、積層して形成され、少なくとも一層の体積抵抗率が１０3Ωｃｍ以上であることを特徴とする。
【００２８】
請求項６に記載の発明によれば、静電力発生装置により搬送ベルトに発生した静電力が保持されるため、記録媒体当接面の粘着力により搬送ベルトに密着された記録媒体が、電荷の分極により搬送ベルトに確実に吸着される。
【００２９】
請求項７に記載の発明は、前記記録媒体は、請求項１から請求項６のいずれか一項に記載のインクジェット記録装置において、布帛であることを特徴とする。
【００３０】
請求項７に記載の発明によれば、搬送ベルトの記録媒体当接面の粘着力により、布帛が搬送ベルトに密着されるため、帯電しにくい布帛であっても、電荷の分極により搬送ベルトに吸着される。ここで言う布帛とは、織物全体を示し、塩化ビニールやポリエステルなどの化学繊維を含むものとする。
【００３１】
ここで、布帛は、静電吸着されるため、記録媒体当接面の粘着力は、布帛にしわ等が発生することなく搬送ベルトに密着される程度の粘着力ですむ。
【発明の効果】
【００３２】
請求項１に記載の発明によれば、搬送ベルトの記録媒体当接面は所定の粘着力を有しており、記録媒体が静電力発生装置により帯電した搬送ベルトに密着され、帯電しにくい記録媒体であっても、電荷の分極により搬送ベルトに吸着されるため、記録媒体を正確に搬送させることができ、この結果、良好な画像を得ることができる。
【００３３】
また、記録媒体が分極されればよいことから、搬送ベルトに一定の厚みを持たせることができるため、搬送ベルトの耐久性に優れ、搬送ベルトの交換頻度が減少し、搬送ベルトを交換する手間が省ける。
【００３４】
さらに、記録媒体当接面の粘着力は、記録媒体にしわ等が発生することなく搬送ベルトに密着される程度の粘着力ですむことから、記録媒体の位置ずれを容易に補正することができるため、搬送ベルトに密着した記録媒体を剥離して再密着させる手間が省ける。
【００３５】
請求項２に記載の発明によれば、搬送ベルトの記録媒体当接面は０．０２Ｎ／２５ｍｍ以上の粘着力を有しており、記録媒体が静電力発生装置により帯電した搬送ベルトに確実に密着され、帯電しにくい記録媒体であっても、電荷の分極により搬送ベルトに吸着されるため、記録媒体を正確に搬送させることができ、この結果、良好な画像を得ることができる。
【００３６】
さらに、粘着力は１Ｎ／２５ｍｍ以下であることから、記録媒体の位置ずれを容易に補正することができるため、搬送ベルトに密着した記録媒体を剥離して再密着させる手間が省ける。
【００３７】
また、静電吸着力が０．７Ｎ／２５ｍｍ以下であり、吐出されたインク滴が偏向することがないため、インクが記録媒体上の所定位置に着弾して、良好な画像を得ることができる。
【００３８】
請求項３に記載の発明によれば、搬送ベルトの記録媒体当接面は平坦であることから、記録媒体の浮きを生じさせることがなく、記録媒体が静電力発生装置により帯電した搬送ベルトに確実に密着され、記録媒体の電荷が分極することにより、記録媒体が搬送ベルトに充分に吸着されるため、記録媒体を正確に搬送させることができ、この結果、良好な画像を得ることができる。
【００３９】
請求項４に記載の発明によれば、搬送ベルトの記録媒体当接面がシリコン系樹脂により形成されていることから、所定の粘着力を有しており、記録媒体が静電力発生装置により帯電した搬送ベルトに確実に密着され、記録媒体の電荷が分極することにより、記録媒体が搬送ベルトに充分に吸着されるため、記録媒体を正確に搬送させることができ、この結果、良好な画像を得ることができる。
【００４０】
また、記録媒体が分極されればよいことから、搬送ベルトに一定の厚みを持たせることができるため、搬送ベルトの耐久性に優れ、搬送ベルトの交換頻度が減少し、搬送ベルトを交換する手間が省ける。
【００４１】
さらに、記録媒体当接面の粘着力は、記録媒体にしわ等が発生することなく搬送ベルトに密着される程度の粘着力ですむため、記録媒体の位置ずれを容易に補正することができることからも、手間が省ける。
【００４２】
請求項５に記載の発明によれば、搬送ベルトの記録媒体当接面がウレタン系樹脂により形成されていることから、所定の粘着力を有しており、記録媒体が静電力発生装置により帯電した搬送ベルトに確実に密着され、記録媒体の電荷が分極することにより、記録媒体が搬送ベルトに充分に吸着されるため、記録媒体を正確に搬送させることができ、この結果、良好な画像を得ることができる。
【００４３】
また、記録媒体が分極されればよいことから、搬送ベルトに一定の厚みを持たせることができるため、搬送ベルトの耐久性に優れ、搬送ベルトの交換頻度が減少し、搬送ベルトを交換する手間が省ける。
【００４４】
さらに、記録媒体当接面の粘着力は、記録媒体にしわ等が発生することなく搬送ベルトに密着される程度の粘着力ですむため、記録媒体の位置ずれを容易に補正することができることからも、手間が省ける。
【００４５】
請求項６に記載の発明によれば、静電力発生装置により搬送ベルトに発生した静電力が保持されることから、記録媒体当接面の粘着力により搬送ベルトに密着された記録媒体が、電荷の分極により搬送ベルトに確実に吸着されるため、記録媒体をより正確に搬送させることができ、この結果、良好な画像を得ることができる。
【００４６】
請求項７に記載の発明によれば、搬送ベルトの記録媒体当接面は所定の粘着力を有しており、布帛が静電力発生装置により帯電した搬送ベルトに密着され、帯電しにくい布帛であっても、電荷の分極により搬送ベルトに吸着されるため、布帛を正確に搬送させることができ、この結果、良好な画像を得ることができる。
【００４７】
また、布帛が分極されればよいことから、搬送ベルトに一定の厚みを持たせることができるため、搬送ベルトの耐久性に優れ、搬送ベルトの交換頻度が減少し、搬送ベルトを交換する手間が省ける。
【００４８】
さらに、記録媒体当接面の粘着力は、布帛にしわ等が発生することなく搬送ベルトに密着される程度の粘着力ですむたことから、記録媒体の位置ずれを容易に補正することができるため、搬送ベルトに密着した布帛を剥離して再密着させる手間が省ける。
【発明を実施するための最良の形態】
【００４９】
以下、本発明の実施の形態を、図１及び図２を参照して説明する。
【００５０】
図１は、本発明によるインクジェット記録装置の一実施の形態に係るインクジェットプリンタ１を示したもので、このインクジェットプリンタ１は、シリアルヘッド方式のインクジェットプリンタ１である。
【００５１】
インクジェットプリンタ１は、図１に示すように、棒状のガイドレール２を有しており、このガイドレール２には、キャリッジ３が支持されている。このキャリッジ３は、キャリッジ駆動機構（図示しない）によって主走査方向Ｘをガイドレール２に沿って往復移動するようになっている。
【００５２】
キャリッジ３には、記録媒体４に対して、イエロー（Ｙ）、マゼンタ（Ｍ）、シアン（Ｃ）、ブラック（Ｋ）の各色のインクを吐出するノズル（図示しない）が設けられた記録ヘッド５が搭載されている。
【００５３】
なお、記録媒体４としては、布帛やプラスチック材料（塩化ビニール）で織られた材料等の剛性が低くしわが発生しやすい記録媒体４が適用可能であり、特に、帯電しにくい記録媒体４を適用することができる。
【００５４】
キャリッジ３の移動可能範囲の中央部分は、記録媒体４に記録を行う記録領域とされており、この記録領域には、記録媒体４をその幅方向と直交する搬送方向Ｙに搬送する搬送装置６が配設されている。この搬送装置６には、記録媒体４を平面状に支持して水平方向に搬送する環状の搬送ベルト７が、搬送ベルト７を回転動作させる駆動ローラ８と、駆動ローラ８に従動して回転するとともに搬送ベルト７にテンションを付与するテンションローラ９とにより張設されている。そして、搬送装置６は、画像記録時において、キャリッジ３の動作に合わせて、記録媒体４の搬送と停止とを繰り返して記録媒体４を間欠的に搬送するようになっている。
【００５５】
搬送ベルト７の記録媒体４を平面状に支持する記録媒体支持面の下方には、搬送ベルト７に対して、記録媒体４を吸着する静電吸着力を発生させる静電力発生装置１０が設けられている。この静電力発生装置１０は、陰電極と陽電極とが櫛歯状に交互に配置された複数の対電極（図示しない）を有しており、この対電極に直流電圧を印加することにより搬送ベルト７を帯電させるようになっている。
【００５６】
ここで、静電吸着力と記録ヘッド５から記録媒体４に対して吐出されたインク滴の偏向の有無との関係を表１に示す。表１は、１１９ｃｍ幅の試料に対して、１ドットのラインを１ドットのスペースを空けて繰り返して記録した偏向評価チャートを作成し、目視により画像に乱れが認められる場合にはインク滴の偏向があると判断し、画像に乱れが認められない場合にはインク滴の偏向がないと判断して得られて結果を表にしたもので、インク滴の偏向がない場合を○、偏向がある場合を×で示した。表１から、静電吸着力が０．７Ｎ／１００ｃｍ2以下であれば、インク滴の偏向が生じないことがわかる。
【表１】
2005096280.tif 000003
【００５７】
したがって、静電力発生装置１０は、記録ヘッド５より吐出されたインク滴の偏向を防止する観点から、静電吸着力が０．７Ｎ／１００ｃｍ2以下となるように、対電極に直流電圧を印加するようになっている。
【００５８】
搬送ベルト７は、図２に示すように、基材１１を有しており、この基材１１の外側表面には、静電力を保持可能な静電力保持層１２が形成されている。基材１１は、例えばガラスクロスにより構成されている。静電力保持層１２は、搬送ベルト７が静電力を保持し記録媒体４を良好に吸着させる観点から、例えばテフロン（登録商標）等の体積抵抗率が１０3Ωｃｍ以上の材料により形成されることが好ましい。また、静電力保持層１２の表面には、例えばシリコン系樹脂やウレタン系樹脂等の粘着性材からなり表面が平坦な粘着層１３が設けられており、これにより、搬送ベルト７の記録媒体４が当接する記録媒体当接面は粘着力を有するようになっている。
【００５９】
ここで、粘着力と布帛の浮きとの関係を表２に示す。表２は、搬送ベルト上に載置した１４０ｃｍ×５０ｃｍの綿帛上に、重石ローラを転がして２０ｇ／ｃｍ2の面圧を加えた後、綿布の浮きが生じているか否かを視認により観測した結果を表にしたもので、浮きが観測されなかった場合を○、浮きが観測された場合を×で示した。なお、粘着力は、ＪＩＳ  Ｚ０２３７に基づく９０℃引き剥がし粘着力によるものである。表２から、粘着力が０．０２Ｎ／２５ｍｍ以上であれば、浮きが生じないことがわかる。
【表２】
2005096280.tif 000004
【００６０】
したがって、粘着層１３は、搬送ベルト７上での記録媒体４の浮きを防止して搬送ベルト７に記録媒体４を密着させる観点から、０．０２Ｎ／２５ｍｍ以上の粘着力を有するように形成されている。
【００６１】
なお、粘着層の表面は平坦に形成されているが、ここにいう平坦とは、表面の凹凸により記録媒体４の浮きを防止して、記録媒体の分極が可能な程度に記録媒体と搬送ベルトとを密着させることができる程度の平坦さをいう。
【００６２】
次に、粘着力と水平移動の可否との関係を表３に示す。表３は、搬送ベルト上に載置した１４０ｃｍ×５０ｃｍの綿帛上に、重石ローラを転がして２０ｇ／ｃｍ2の面圧を加えた後、１４０ｃｍ側の一辺を水平方向に移動させたとき、綿布をしわや浮きを発生させることなく移動させることができるか否かを視認により観測した結果を表にしたもので、しわ等を発生させることなく水平移動をさせることが可能である場合を○、しわ等を発生させることなく水平移動をさせることが不可能である場合を×で示した。なお、粘着力は、ＪＩＳ  Ｚ０２３７に基づく９０℃引き剥がし粘着力によるものである。表３から、粘着力が１．０Ｎ／２５ｍｍ以下であれば、しわ等を発生させることなく水平移動をさせることが可能であることがわかる。
【表３】
2005096280.tif 000005
【００６３】
したがって、粘着層１３は、搬送ベルト７に密着された記録媒体４を剥離して再密着させることなく、記録媒体４を搬送ベルト７上でスライドさせて位置を調整できるようにする観点から、１Ｎ／２５ｍｍ以下の粘着力を有するように形成されている。
【００６４】
また、インクジェットプリンタ１には、図１に示すように、長尺の記録媒体４を搬送装置６に送り出す送出しローラ１４と画像が記録された記録媒体４を巻き取る巻取りローラ１５とを有しており、これら送出しローラ１４及び巻取りローラ１５は、図示しないローラ駆動機構により、画像記録動作に合わせて記録媒体４の送出し動作又は巻取り動作を行うようになっている。
【００６５】
送出しローラ１４と巻取りローラ１５との間であって、搬送ベルト７の記録媒体当接面上流側には、搬送ベルト７とともに記録媒体４を搬送方向Ｙに搬送させる搬送ローラ１６が設けられている。
【００６６】
次に、本実施形態の作用について説明する。
【００６７】
画像を記録する際には、搬送装置６及びローラ駆動機構が駆動して、記録媒体４が記録ヘッド５の下方へ搬送される。記録媒体４が記録ヘッド５の下方所定位置に到達すると、キャリッジ駆動機構が作動することにより、キャリッジ３が記録媒体４の上方を往復移動するとともに、画像情報に基づいて記録ヘッド５より所定のインク滴が順次吐出され、記録媒体４に着弾して硬化することにより画像が記録される。
【００６８】
このとき、搬送ベルト７の記録媒体支持面においては、静電力発生装置１０を構成する対電極に所定の直流電圧が印加されることにより、静電力保持層１２が帯電して静電力が保持されている。また、記録媒体当接面には０．０２Ｎ／２５ｍｍ以上の粘着力を有し表面が平坦な粘着層１３が形成されていることから、記録媒体４が搬送ベルト７に確実に密着されるため、記録媒体４の電荷が分極して、搬送ベルト７に充分に吸着される。
【００６９】
また、記録媒体４が分極されればよく、搬送ベルト７を薄くする必要がないため、搬送ベルト７に一定の厚みを持たせることができる。
【００７０】
さらに、粘着力は１Ｎ／２５ｍｍ以下であるため、静電力の発生を解除すれば、搬送ベルト７に密着された記録媒体４を剥離して再密着させることなく、記録媒体４の位置ずれを容易に補正することができる。
【００７１】
また、静電吸着力は０．７Ｎ／２５ｍｍ以下であるため、記録ヘッド５より記録媒体４に対して吐出されたインク滴が偏向することがない。
【００７２】
以上のように、本実施形態によれば、搬送ベルト７の記録媒体当接面には、所定の粘着力を有するとともに表面が平坦な粘着層１３が形成されており、記録媒体４が搬送ベルト７に確実に密着されて、記録媒体４の電荷の分極により充分に吸着されるため、記録媒体４を正確に搬送させることができ、この結果、良好な画像を得ることができる。
【００７３】
また、記録媒体４が分極されればよいことから、搬送ベルト７に一定の厚みを持たせることができ、搬送ベルト７の耐久性に優れるため、搬送ベルト７の交換頻度が減少し、搬送ベルト７を交換する手間が省ける。
【００７４】
さらに、記録媒体４の位置ずれを容易に補正することができるため、搬送ベルト７に密着した記録媒体４を剥離して再密着させる手間が省ける。
【００７５】
また、静電吸着力が０．７Ｎ／２５ｍｍ以下であり、インク滴が偏向することがないため、インクが記録媒体４上の所定位置に着弾して、良好な画像を得ることができる。
【００７６】
なお、本実施形態では、搬送ベルト７は、再外表面に粘着性材により形成された粘着層１３を設けるようにしたが、基材に粘着性材を含浸させてもよい。
【図面の簡単な説明】
【００７７】
【図１】本発明によるインクジェット記録装置の一実施形態の構成を示す図である。
【図２】本実施形態における搬送ベルトの構成を示す図である。
【符号の説明】
【００７８】
１    インクジェットプリンタ
４    記録媒体
６    搬送装置
７    搬送ベルト
１０  静電力発生装置
１２  静電力保持層
１３  粘着層
【図１】
2005096280.tif 000006
【図２】
2005096280.tif 000007